(57)【特許請求の範囲】
【請求項１】
被印刷物に印刷する印刷装置本体と該印刷装置本体に近接配置される電動機盤とを備えた印刷装置の空調システムであって、
所定の温湿度に調整された空気を前記電動機盤に供給する電動機盤用空調設備と、
前記電動機盤で発生した排熱を利用して得られた熱排気を前記印刷装置本体の内部に供給する熱排気供給設備と、
を備えていることを特徴とする印刷装置の空調システム。
【請求項２】
前記印刷装置本体は、外周面に刷版が設けられる版胴と、該版胴の刷版に湿し水を供給する湿し水供給装置と、前記版胴の刷版にインキを供給するインキ供給装置と、前記版胴の刷版と当接することで転写されたインキを被印刷物に転写するブランケット胴と、該ブランケット胴を清掃するブランケットウォッシャーと、前記版胴と前記ブランケット胴との当接部を覆うように設けられるフィンガーガードと、を有する印刷部を備えていることを特徴とする請求項１に記載の印刷装置の空調システム。
【請求項３】
前記印刷部の側方には、前記電動機盤からの熱排気で前記ブランケットウォッシャー及び前記フィンガーガードを加熱する気流が形成される空間が設けられていることを特徴とする請求項２に記載の印刷装置の空調システム。
【請求項４】
前記印刷装置本体が上下方向に複数積み重ねられて構成され、前記印刷部の上方又は下方にはメンテナンススペースが形成され、前記電動機盤からの熱排気が前記メンテナンススペース内を流通するように構成されていることを特徴とする請求項２又は３に記載の印刷装置の空調システム。
【発明の詳細な説明】
【技術分野】
【０００１】
本発明は、印刷装置で被印刷物を印刷する際に装置内部で結露が発生するのを防止するための空調システムに関する。
【背景技術】
【０００２】
一般に、被印刷物にオフセット印刷する際に用いられる印刷装置として、輪転機が知られている。従来の輪転機は、通常、被印刷物に印刷する印刷装置本体と該印刷装置本体を駆動させるための電動機盤とを備えており、版胴の外周面に設けられる刷版の湿し水が付着された非画線部へのインキの付着を防止すると共に湿し水が付着されていない画線部にインキを付着させ、このインキをブランケット胴に転写することで、被印刷物に印刷を行うように構成されている。
【０００３】
この種の従来の印刷装置では、印刷している間、刷版から蒸発した湿し水によって印刷装置内の相対湿度が上昇し、フィンガーガードやブランケットウォッシャー等の金属製部材で多湿な空気が冷却されて結露を発生し易い。そして、この結露水が前記版胴やブランケット胴の外周面に滴下した場合には、印刷工程に悪影響を与え、損紙が発生し生産性が下がる虞がある。
【０００４】
そこで、従来、印刷装置内でこのような結露が発生するのを防止するため、印刷装置の外部に送風機を配置し、この送風機からの空気を配管によって印刷装置の内部に吹き付けたりすることが提案されている（例えば、特許文献１参照）。
【先行技術文献】
【特許文献】
【０００５】
【特許文献１】特開平２００７−１３０８４０号公報
【発明の概要】
【発明が解決しようとする課題】
【０００６】
しかしながら、上記した特許文献１に記載された従来の印刷装置では、外部の空気をそのまま装置内部に導いて吹き付けているため、外部の空気の温湿度によっては、印刷装置内部における結露の発生を十分に防止することができないといった問題がある。
【０００７】
また、配管から吹き付けられた空気が印刷装置内部において拡散してしまい、印刷装置内部で水蒸気や粉塵を含んだ多湿で汚染された空気を効率良く外部に排出することが難しいといった問題や、この多湿で汚染された空気が印刷装置の周辺に排出、拡散されることで、印刷装置を設置している室内の環境を悪化させるといった問題もある。
【０００８】
さらに、印刷装置の電動機盤から排出された熱排気をそのまま室内に排出する場合には、室温が上昇して室内環境を悪化させるといった問題がある。また、その熱排気を専用のファン等で屋外へ排出する場合には、その排気量に相当する新鮮外気を室温に調整するために冷却又は加熱する設備を設ける必要があり、設備コスト及びランニングコストが増大するといった問題がある。さらにまた、印刷装置の電動機盤内に室内空気を取り込んで電動機盤を冷却する場合には、室内空気中の粉塵が電動機盤内の電装部品に付着することによって電動機盤の故障や寿命低下の要因になるといった問題もある。
【０００９】
本発明は、上記した各種課題を解決すべくなされたものであり、室内環境を悪化させることなく、印刷装置内部における結露の発生を確実に防止することができると共に、電動機盤の耐久性の向上を図ることのできる印刷装置の空調システムを提供することを目的とするものである。
【課題を解決するための手段】
【００１０】
上記した目的を達成するため、本発明は、被印刷物に印刷する印刷装置本体と該印刷装置本体に近接配置される電動機盤とを備えた印刷装置の空調システムであって、前記電動機盤から排出された熱排気を前記印刷装置本体の内部へ供給することを特徴とする。
【００１１】
本発明のこの特徴によれば、印刷装置本体の内部での結露の発生及び結露水の滴下を防止することができるため、印刷装置による印刷工程での損紙の発生を防止し、歩留まりを上げることができる。また、損紙の発生を防止することにより、印刷工程中に損紙を取り除いたりする作業を行う必要がなくなるため、印刷作業の効率化を図ることができる。さらに、電動機盤からの熱排気を印刷装置本体の内部の加熱に再利用することにより印刷装置全体からの排気量を削減することができ、省エネルギー性の向上を図ることができる。
【００１２】
また、本発明は、所定の温湿度に調整された空気を前記電動機盤に供給する電動機盤用空調設備と、前記電動機盤で発生した排熱を利用して得られた熱排気を前記印刷装置本体の内部に供給する熱排気供給設備と、を備えていることを特徴としてもよい。
【００１３】
本発明のこの特徴によれば、上記した効果をさらに高めることができることに加えて、電動機盤用空調設備からの所定の温湿度に調整された空気によって電動機盤をより確実に冷却することができる。また、空気中の粉塵等が電動機盤内の電装部品に付着するのを防止することができ、電動機盤の耐久性を高めることができる。
【００１４】
また、本発明に係る印刷装置の空調システムにおいて、前記印刷装置本体は、外周面に刷版が設けられる版胴と、該版胴の刷版に湿し水を供給する湿し水供給装置と、前記版胴の刷版にインキを供給するインキ供給装置と、前記版胴の刷版と当接することで転写されたインキを被印刷物に転写するブランケット胴と、該ブランケット胴を清掃するブランケットウォッシャーと、前記版胴と前記ブランケット胴との当接部を覆うように設けられるフィンガーガードと、を有する印刷部を備えていることを特徴としてもよい。
【００１５】
本発明のこの特徴によれば、非発熱部である、ブランケットウォッシャー、フィンガーガード等における結露の発生及び結露水が版胴の刷版やブランケット胴の外周面に滴下するのを確実に防止することができる。したがって、印刷装置による印刷工程において、損紙の発生を防止し、歩留まりを上げることができる。また、損紙の発生を防止することにより、印刷工程中に損紙を取り除いたりする作業を行う必要がなくなるため、印刷作業の効率化を図ることができる。
【００１６】
また、本発明に係る印刷装置の空調システムにおいて、前記印刷部の側方には、前記電動機盤からの熱排気で前記ブランケットウォッシャー及び前記フィンガーガードを加熱する気流が形成される空間が設けられていることを特徴としてもよい。
【００１７】
本発明のこの特徴によれば、印刷部の側方の空間においてブランケットウォッシャー及びフィンガーガードを加熱する気流を形成することにより、非発熱部である、ブランケットウォッシャー、フィンガーガード等の表面温度が装置内部の空気の露点温度より高くなり、前記表面上での結露の発生及び結露水が版胴の刷版やブランケット胴の外周面に滴下するのを確実に防止することができる。したがって、印刷装置による印刷工程において、損紙の発生を防止し、歩留まりを上げることができる。また、損紙の発生を防止することにより、印刷工程中に損紙を取り除いたりする作業を行う必要がなくなるため、印刷作業の効率化を図ることができる。さらに、電動機盤からの熱排気を印刷装置本体の内部の加熱に再利用することにより印刷装置全体からの排気量を削減することができ、省エネルギー性の向上を図ることができる。
【００１８】
また、本発明に係る印刷装置の空調システムにおいて、前記印刷装置本体が上下方向に複数積み重ねられて構成され、前記印刷部の上方又は下方にはメンテナンススペースが形成され、前記電動機盤からの熱排気が前記メンテナンススペース内を流通するように構成されていることを特徴としてもよい。
【００１９】
本発明のこの特徴によれば、印刷装置本体の内部全体を加熱することができ、印刷装置本体内での結露の発生及び結露水の滴下を確実に防止することができるため、印刷装置による印刷工程での損紙の発生を防止し、歩留まりを上げることができる。また、損紙の発生を防止することにより、印刷工程中に損紙を取り除いたりする作業を行う必要がなくなるため、印刷作業の効率化を図ることができる。さらに、電動機盤からの熱排気を印刷装置本体の内部の加熱に再利用することにより印刷装置全体からの排気量を削減することができ、省エネルギー性の向上を図ることができる。
【発明の効果】
【００２０】
本発明によれば、印刷装置本体の内部での結露の発生及び結露水の滴下を防止することができるため、印刷作業の効率化を図ることができる等、種々の優れた効果を得ることができる。
【図面の簡単な説明】
【００２１】
【図１】本発明の実施形態に係る印刷装置の空調システムを示す全体構成図である。
【図２】本発明の実施形態に係る印刷装置の空調システムにおける印刷装置本体を示す断面図である。
【図３】本発明の実施形態に係る印刷装置の空調システムにおける印刷装置本体を示す正面図である。
【図４】図２のＡ−Ａ断面図である。
【図５】本発明の実施形態に係る印刷装置の空調システムにおける印刷装置本体を示す正面図である。
【図６】図２のＢ−Ｂ断面図である。
【発明を実施するための形態】
【００２２】
以下、図面を参照しつつ、本発明の実施形態に係る印刷装置の空調システムについて説明する。ここで、図１は本発明の実施形態に係る印刷装置の空調システムを示す全体構成図、図２は本発明の実施形態に係る印刷装置の空調システムにおける印刷装置本体を示す断面図、図３は本発明の実施形態に係る印刷装置の空調システムにおける印刷装置本体を示す正面図、図４は図２のＡ−Ａ断面図、図５は本発明の実施形態に係る印刷装置の空調システムにおける印刷装置本体を示す正面図、図６は図２のＢ−Ｂ断面図である。
【００２３】
まず、本発明の実施形態に係る空調システム５０が設置される印刷装置１０について説明する。
【００２４】
図１に示すように、この印刷装置１０は、多色印刷用の輪転機であり、給紙場１１に載置される給紙装置１２と、給紙装置１２の上方に４段に渡って積み重ねられる第１〜第４の印刷装置本体１３，１４，１５，１６と、最上段の第４の印刷装置本体１６の上方に載置される排紙装置１７と、により構成されるタワーユニット１８を備えており、印刷装置１０全体では、通常複数台のタワーユニット１８が並設されている。
【００２５】
タワーユニット１８の周囲には、給紙場１１の上方に順次、下段メンテナンス床１９、中段メンテナンス床２０、及び上段メンテナンス床２１が形成されている。下段メンテナンス床１９は給紙装置１２と第１の印刷装置本体１３と間の高さに水平配置され、中段メンテナンス床２０は第２の印刷装置本体１４と第３の印刷装置本体１５との間の高さに水平配置され、上段メンテナンス床２１は第４の印刷装置本体１６の高さに水平配置されている。
【００２６】
図２は第１〜第４の印刷装置本体１３，１４，１５，１６の内部構造を示す断面図である。図２に示すように、被印刷物は、最下段の第１の印刷装置本体１３から最上段の第４の印刷装置本体１６に向かって搬送されるようにセットされる。第１〜第４の印刷装置本体１３，１４，１５，１６には、この被印刷物の搬送経路Ｐを中心として左右対称となるように左側印刷部２３Ｌ，２４Ｌ，２５Ｌ，２６Ｌ及び右側印刷部２３Ｒ，２４Ｒ，２５Ｒ，２６Ｒがそれぞれに対向して配設されており、被印刷物の両面に画線が印刷可能となっている。
【００２７】
左側印刷部２３Ｌ，２４Ｌ，２５Ｌ，２６Ｌ及び右側印刷部２３Ｒ，２４Ｒ，２５Ｒ，２６Ｒには、それぞれ、外周面に刷版が設けられる版胴２７と、ローラ列２８ａにより版胴２７の刷版に湿し水を供給する湿し水供給装置２８と、ローラ列２９ａにより版胴２７の刷版にインキを供給するインキ供給装置２９と、版胴２７の刷版と当接することで転写されたインキを被印刷物に転写するブランケット胴３０と、印刷終了後にブランケット胴３０の外周面に付着したインキの汚れや紙粉等をブラシや不織布等で清掃するブランケットウォッシャー３１と、版胴２７とブランケット胴３０との当接部を覆うように設けられる断面矩形状の金属製バーから成るフィンガーガード３２と、が設けられている。
【００２８】
第１の印刷装置本体１３の左側及び右側の印刷部２３Ｌ，２３Ｒ及び第３の印刷装置本体１５の左側及び右側の印刷部２５Ｌ，２５Ｒでは、湿し水供給装置２８及びインキ供給装置２９が版胴２７の下方に配設されているのに対して、第２の印刷装置本体１４の左側及び右側の印刷部２４Ｌ，２４Ｒ及び第４の印刷装置本体１６の左側及び右側の印刷部２６Ｌ，２６Ｒでは、湿し水供給装置２８及びインキ供給装置２９が版胴２７の上方に配設されている。
【００２９】
給紙装置１２と第１の印刷装置本体１３の間であって第１の印刷装置本体１３の印刷部２３Ｌ，２３Ｒの下方には、下段メンテナンススペース３４が形成されており、下段メンテナンススペース３４は下段メンテナンス床１９からアクセス可能となっている。また、第２の印刷装置本体１４と第３の印刷装置本体１５との間であって第２の印刷装置本体１４の上方且つ第３の印刷装置本体１５の下方には、中段メンテナンススペース３５が形成されており、中段メンテナンススペース３５は中段メンテナンス床２０からアクセス可能となっている。
【００３０】
再度、図１を参照すると、印刷装置１０は、第１〜第４の印刷装置本体１３，１４，１５，１６のそれぞれに対応して第１〜第４の電動機盤３６，３７，３８，３９を備えており、第１〜第４の電動機盤３６，３７，３８，３９は第１〜第４の印刷装置本体１３，１４，１５，１６の近接位置にそれぞれ配設されている。
【００３１】
次に、本発明の実施形態に係る印刷装置１０の空調システム５０について説明する。
【００３２】
図１に示すように、この空調システム５０は、電動機盤用空調設備６１と、熱排気供給設備６２と、排気設備６３と、を備えて構成されている。
【００３３】
電動機盤用空調設備６１は、専用に設置される電動機盤用空調機６４と、電動機盤用空調機６４から第１〜第４の電動機盤３６，３７，３８，３９まで配設される風導設備６５と、を備えている。
【００３４】
電動機盤用空調機６４には、特に図示しないが、フィルター、冷却コイル、加熱コイル、加湿設備、送風機、及び自動制御設備等が設けられており、電動機盤用空調機６４からは所定の温湿度に調整された空気ＳＡが供給されるようになっている。
【００３５】
風導設備６５は、電動機盤用空調機６４に接続される主給気ダクト６６と、主給気ダクト６６から分岐されて第１〜第４の電動機盤３６，３７，３８，３９に接続される第１〜第４の分岐給気ダクト６７，６８，６９，７０と、により構成されている。
【００３６】
熱排気供給設備６２は、第１の印刷本体用供給設備７１と、第２の印刷本体用供給設備７２と、第３の印刷本体用供給設備７３と、を備えている。
【００３７】
第１の印刷本体用供給設備７１は、第１の電動機盤３６から第１の印刷本体装置１３に接続される第１の熱排気供給ダクト７４と、第１の熱排気供給ダクト７４の途中に設置される第１の熱排気供給ファン７５と、により構成されている。
【００３８】
図２及び図５に示されているように、第１の熱排気供給ダクト７４の印刷装置本体側端部は、下段メンテナンススペース３４に臨むように設置された第１の吹出口７６に接続されており、第１の電動機盤３６からの熱排気ＨＡ１が下段メンテナンススペース３４内を流通するようになっている。第１の吹出口７６は、二重ノズル形状を有し、２個並設されており、ルーバ等により吹出方向の調整可能且つダンパー等により風量設定可能に構成されている。
【００３９】
第２の印刷本体用供給設備７２は、第２の電動機盤３７から第２の印刷装置本体１４に接続される第２の熱排気供給ダクト７７と、第２の熱排気供給ダクト７７の途中に設置される第２の熱排気供給ファン７８と、により構成されている。
【００４０】
図２及び図５，６に示されているように、第２の熱排気供給ダクト７７の印刷装置本体側端部は、中段メンテナンススペース３５に臨むように設置されたノズル状の第２の吹出口７９に接続されており、第２の電動機盤３７からの熱排気ＨＡ２が中段メンテナンススペース３５内を流通するようになっている。第２の吹出口７９は、二重ノズル形状を有し、２個並設されており、ルーバ等により吹出方向の調整可能且つダンパー等により風量設定可能に構成されている。
【００４１】
第３の印刷本体用供給設備７３は、第３の電動機盤３８から第３の印刷装置本体１５と第４の印刷装置本体１６の間に接続される第３の熱排気供給ダクト８０と、第３の熱排気供給ダクト８０の途中に設置される第３の熱排気供給ファン８１と、により構成されている。
【００４２】
図１〜図４に示されているように、第３の熱排気供給ダクト８０の印刷装置本体側端部は、第３及び第４の印刷装置本体１５，１６の左側及び右側の印刷部２５Ｌ，２５Ｒ，２６Ｌ，２６Ｒの側方の空間８２に臨むように設置された第３の吹出口８３に接続されており、第３の吹出口８３から吹き出された第３の電動機盤３８からの熱排気ＨＡ３でブランケットウォッシャー３１及びフィンガーガード３２等を加熱する気流を形成するようになっている。第３の吹出口８３は、カバー２２の内面に沿って吹出可能なように縦型スリット形状を成しており、２箇所に設けられ、ルーバ等により吹出方向の調整可能且つダンパー等により風量設定可能に構成されている。
【００４３】
図１〜図４に示されているように、排気設備６３は、第３の吹出口８３の上方且つ上段メンテナンス床２１の下方においてタワーユニット１８のカバー２２に近接して配設される複数の集気口８４と、各集気口８４から外部に配設される排気ダクト８５と、排気ダクト８５の外部側端部に接続される排気ファン８６と、により構成されている。
【００４４】
次に、上記した構成を備えた印刷装置１０及びその空調システム５０の作用について説明する。
【００４５】
印刷装置１０において、まず、被印刷物は給紙装置１２から最下段の第１の印刷装置本体１３に供給される。第１の印刷装置本体１３の左側印刷部２３Ｌ，２４Ｌ，２５Ｌ，２６Ｌ及び右側印刷部２３Ｒ，２４Ｒ，２５Ｒ，２６Ｒでは、湿し水装置２８のローラ列２８ａを介して版胴２７の刷版に湿し水が供給され、この湿し水は刷版の親水性の非画線部にのみ付着する。
【００４６】
また、この時、インキ供給処置２９のローラ列２９ａを介して版胴２７の刷版に所定の色（例えば、ブラック）のインキが供給される。このインキは油性であるため、湿し水が付着した刷版の非画線部でははじかれ、親油性の画線部にのみ付着する。
【００４７】
次いで、この画線部に付着された所定の色のインキは、ブランケット胴３０の外周面に転写された後、左右一対のブランケット胴３０間に供給される被印刷物の両面に転写され、印刷される。
【００４８】
以降、順次、上段の第２〜第４の印刷装置本体１４，１５，１６の各印刷部２４Ｌ，２４Ｒ，２５Ｌ，２５Ｒ，２６Ｌ，２６Ｒにおいて、同様に、被印刷物の両面にそれぞれ所定の色（例えば、シアン、マゼンタ、イエロー）の画線が印刷され、所定の各色の画線が印刷された被印刷物は排紙装置１７から排出される。
【００４９】
上記したように印刷装置１０で被印刷物に画線を印刷している間、電動機盤用空調機６４により所定の温湿度（例えば、２６℃ＤＢ，５０％ＲＨ）に調整された所定風量（例えば、１，７００ｍ３／ｈ）の空気ＳＡが供給される。この空気ＳＡは、風導設備６５の主給気ダクト６６及び第１〜第４の分岐給気ダクト６７，６８，６９，７０を通って第１〜第４の電動機盤３６，３７，３８，３９の内部に供給され、第１〜第４の電動機盤３６，３７，３８，３９をそれぞれ冷却する。
【００５０】
電動機盤用空調機６４から第１の電動機盤３６に供給された所定風量（例えば、４５０ｍ３／ｈ）の空気ＳＡ１は第１の電動機盤３６を冷却すると共に内部の空気と混合されることで温度が上昇且つ相対湿度が低下し（実測で、３０．４〜３１．７℃ＤＢ、３３．０〜３４．０％ＲＨとなる）、そのうちの所定風量（例えば、４００ｍ３／ｈ）の空気が熱排気ＨＡ１として、第１の印刷本体用供給設備７１の第１の熱排気供給ファン７５の駆動により第１の熱排気供給ダクト７４を通って第１の吹出口７６から下段メンテナンススペース３４内に吹き出され、主に、第１の印刷装置本体１３の内部を加熱する。
【００５１】
また、電動機盤用空調機６４から第２の電動機盤３７に供給された所定風量（例えば、４５０ｍ３／ｈ）の空気ＳＡ２は第２の電動機盤３７を冷却すると共に内部の空気と混合されることで温度が上昇且つ相対湿度が低下し（実測で、３１．２〜３２．８℃ＤＢ、３１．０〜３２．０％ＲＨとなる）、そのうちの所定風量（例えば、４００ｍ３／ｈ）の空気が熱排気ＨＡ２として、第２の印刷本体用供給設備７２の第２の熱排気供給ファン７８の駆動により第２の熱排気供給ダクト７７を通って第２の吹出口７９から中段メンテナンススペース３５内に吹き出され、主に、第２の印刷装置本体１４及び第３の印刷装置本体１５の内部を加熱する。
【００５２】
さらに、電動機盤用空調機６４から第３の電動機盤３８に供給された所定風量（例えば、４００ｍ３／ｈ）の空気ＳＡ３は第３の電動機盤３８を冷却すると共に内部の空気と混合されることで温度が上昇且つ相対湿度が低下し（実測で、３１．７〜３２．０℃ＤＢ、３２．０〜３５．０％ＲＨとなる）、そのうちの所定風量（例えば、１８０ｍ３／ｈ）の空気が熱排気ＨＡ３として、第３の印刷本体用供給設備７３の第３の熱排気供給ファン８１によって第３の熱排気供給ダクト８０を通って第３の吹出口８３から第３及び第４の印刷装置本体１５，１６の左右の印刷部２５Ｌ，２５Ｒ，２６Ｌ，２６Ｒの側方の空間８２に向けて吹き出される。これにより、熱排気ＨＡ３はブランケットウォッシャー３１、フィンガーガード３２等の非発熱部表面を加熱する気流を形成し、主に、第３及び第４の印刷装置本体１５，１６の内部を加熱する。
【００５３】
その後、このように第１〜第３の吹出口７６，７９，８３から第１〜第４の印刷装置本体１３，１４，１５，１６内にそれぞれ吹き出されて該装置本体内を加熱した熱排気ＨＡ１,ＨＡ２，ＨＡ３は、排気ファン８６の駆動により各集気口８４から排気ダクト８５を通って印刷装置を設置している部屋の外部に排出される。
【００５４】
ところで、上記したように印刷装置１０において被印刷物に画線を印刷している間、湿し水装置２８により供給された湿し水の一部分が蒸発し、第１〜第４の印刷装置本体１３，１４，１５，１６内の相対湿度は高くなる。そのため、第１〜第４の印刷装置本体１３，１４，１５，１６の内部を熱排気ＨＡ１,ＨＡ２，ＨＡ３で加熱しない場合には、非発熱部である、ブランケットウォッシャー３１、フィンガーガード３２等の金属表面温度と装置内部の空気の露点温度との温度差がほとんどゼロ（実測では、０．０〜０．６℃）となり、前記金属表面上で結露が発生し、結露水が滴下するおそれがある。
【００５５】
これに対して、上記した本実施形態のように、第１〜第４の印刷装置本体１３，１４，１５，１６の内部を熱排気ＨＡ１,ＨＡ２，ＨＡ３で加熱した場合には、第１〜第４の印刷装置本体１３，１４，１５，１６内の相対湿度が熱排気ＨＡ１,ＨＡ２，ＨＡ３との混合により低下し、非発熱部である、ブランケットウォッシャー３１、フィンガーガード３２等の金属表面温度が装置内部の空気の露点温度より十分（実測では、１．２〜２．９℃）高くなり、前記金属表面上での結露の発生及び結露水が版胴２７の刷版やブランケット胴３０の外周面に滴下するのを確実に防止することができる。したがって、印刷装置１０による印刷工程において、損紙の発生を防止し歩留まりを上げることができる。また、損紙の発生を防止することにより、印刷工程中に損紙を取り除いたりする作業を行う必要がなくなるため、印刷作業の効率化を図ることができる。
【００５６】
また、上記した実施形態に係る印刷装置１０の空調システム５０によれば、第１〜第３の吹出口７６，７９，８３から装置内部に吹き出された空気が印刷装置内部において、非発熱部である、ブランケットウォッシャー３１、フィンガーガード３２等を効率良く加熱し、外部に排出することができるため、装置内部における結露の発生を確実に防止することができると共に、印刷装置を設置している室内の環境を良好に保つことができる。
【００５７】
さらに、第１〜第３の電動機盤３６，３７，３８からの熱排気ＨＡ１,ＨＡ２，ＨＡ３を第１〜第４の印刷装置本体１３，１４，１５，１６の内部の加熱に再利用することにより、印刷装置１０全体からの排気量を削減することができる。例えば、上記した実施形態では、１台のタワーユニット１８当たり、電動機盤用空調機６４から供給される風量ＳＡに対する熱排気ＨＡ１,ＨＡ２，ＨＡ３の割合は、
（４００ｍ３／ｈ＋４００ｍ３／ｈ＋１８０ｍ３／ｈ）÷１，７００ｍ３／ｈ≒０．５８
となる。すなわち、約５８％の排気を再利用することができるため、省エネルギー化を図ることができる。
【００５８】
さらにまた、電動機盤用空調機６４からの清浄な空気によって第１〜第４の電動機盤３６，３７，３８，３９を冷却することができるため、空気中の粉塵等が電動機盤内の電装部品に付着するのを防止することができ、第１〜第４の電動機盤３６，３７，３８，３９の耐久性を高めることができる。
【００５９】
なお、上記した実施形態では、被印刷物の両面に画線が印刷可能なように左右両側に印刷部２３Ｌ，２３Ｒ，２４Ｌ，２４Ｒ，２５Ｌ，２５Ｒ，２６Ｌ，２６Ｒを対向して配設しているが、印刷部２３Ｌ，２３Ｒ，２４Ｌ，２４Ｒ，２５Ｌ，２５Ｒ，２６Ｌ，２６Ｒの版胴２７、湿し水供給装置２８、及びインキ供給装置２９等を左右いずれか一方側にのみ配設し、被印刷物の片面にのみ画線が印刷可能なように構成してもよい。
【００６０】
また、上記した実施形態では、第１〜第４の印刷装置本体１３，１４，１５，１６の左側及び右側の印刷部２３Ｌ，２３Ｒ，２４Ｌ，２４Ｒ，２５Ｌ，２５Ｒ，２６Ｌ，２６Ｒにおいて、湿し水供給装置２８及びインキ供給装置２９を版胴２７の上方と下方に交互に配設しているが、すべての印刷部２３Ｌ，２３Ｒ，２４Ｌ，２４Ｒ，２５Ｌ，２５Ｒ，２６Ｌ，２６Ｒにおいて、湿し水供給装置２８及びインキ供給装置２９を版胴２７の下方に配設してもよい。
【００６１】
また、上記した実施形態では、本発明を多色印刷用の輪転機に適用した場合について説明したが、これは単なる例示に過ぎず、本発明はモノクロ用の印刷装置等、他のタイプの印刷装置に適用可能であることは言う迄もない。
【００６２】
さらに、上記した本発明の実施形態の説明は、本発明に係る印刷装置の空調システムにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６３】
１０    印刷装置
１３    第１の印刷装置本体
１４    第２の印刷装置本体
１５    第３の印刷装置本体
１６    第４の印刷装置本体
２７    版胴
２８    湿し水供給装置
２９    インキ供給装置
３０    ブランケット胴
３１    ブランケットウォッシャー
３２    フィンガーガード
３４    下段メンテナンススペース
３５    中段メンテナンススペース
３６    第１の電動機盤
３７    第２の電動機盤
３８    第３の電動機盤
６１    電動機盤用空調設備
６２    熱排気供給設備
８２    空間
【要約】
【課題】室内環境を悪化させることなく、印刷装置内部における結露の発生を確実に防止すると共に、電動機盤の耐久性の向上を図る。
【解決手段】本発明は、被印刷物に印刷する印刷装置本体１３，１４，１５，１６と印刷装置本体１３，１４，１５，１６に近接配置される電動機盤３６，３７，３８，３９とを備えた印刷装置１０の空調システム５０であって、電動機盤３６，３７，３８，３９から排出された熱排気を印刷装置本体１３，１４，１５，１６の内部へ供給することを特徴とする。
【選択図】図１【図１】
0005619960.tif 000002
【図２】
0005619960.tif 000003
【図３】
0005619960.tif 000004
【図４】
0005619960.tif 000005
【図５】
0005619960.tif 000006
【図６】
0005619960.tif 000007